(57)【特許請求の範囲】
【請求項１】
相対向する固定台盤と可動押圧盤との間に多数の濾過板が互いに圧接離間方向に移動可能に並設され、各濾過板に濾布が添設され、各濾過板を圧接したときに隣接する濾過板に添う濾布間に濾室が形成され、各濾過板及び濾布の中央部に各濾室を連通させる開孔が設けられ、前記開孔に連通する注入口から非処理液を圧入し脱水するように構成されたフィルタープレスにおいて、
前記被処理液の注入口に、被処理液用の給送管とは別に、切替バルブを介して接続される洗浄装置を備えてなり、この洗浄装置は、放射方向に洗浄用水を噴射できるノズル部材が先端部に設けられた洗浄用ホースと、該洗浄用ホースをフィルタープレスに送り込むための挿通ガイド部材とを有し、前記挿通ガイド部材が切替バルブを介して注入口に接続され、洗浄の際に、前記洗浄用ホースをその先端側より前記注入口を経てフィルタープレスにおける各濾過板の開孔に順次通して、先端部のノズル部材により各濾室内に洗浄用水を噴射することにより、濾布を洗浄するようにしたことを特徴とするフィルタープレスにおける洗浄装置。
【請求項２】
前記洗浄用ホースは、リールに引き出し可能に巻回されており、該洗浄用ホースをフィルタープレスに送り込むための送り込み手段を備えていることを特徴とする請求項１に記載のフィルタープレスにおける洗浄装置。
【請求項３】
前記挿通ガイド部材は、洗浄用ホース不作用時に、洗浄用ホース先端のノズル部材を気密に保持するとともに、該ノズル部材のフィルタープレスとは反対側への抜脱を阻止するように構成された請求項１または２に記載のフィルタープレスにおける洗浄装置。
【発明の詳細な説明】
【０００１】
【発明の属する技術分野】
本発明は、土木工事等で発生する汚泥やセメントを含む排水等の被処理液を、脱水ケーキと清浄な水とに分離する圧搾式のフィルタープレスにおける濾布の洗浄装置に関するものである。
【０００２】
【従来の技術】
従来、この種のフィルタープレスは、多数の濾過板が互いに圧接離間方向に移動可能に並設され、各濾過板に濾布が添設され、各濾過板を圧接したときに隣接する濾過板に添う濾布間に濾室が形成され、各濾過板及び濾布の中央部に各濾室を連通させる開孔が設けられ、前記開孔に接続されている注入口から非処理液を圧入し脱水するように構成されている。
【０００３】
濾過された水は、濾過板に有する排水孔、通路を通じて下方に排出され、一日７〜８回の処理を繰返した後、各濾過室に滞留するスラッジによる脱水ケーキは、各濾過板を離間させることにより排出する。
【０００４】
１日の脱水濾過処理が完了し、最後の脱水ケーキを排出させた後、濾布をそのまま放置しておくと、スラッジが濾布に残って目詰りを生じ、濾過処理効率が低下することになるので、１日の処理終了後に洗浄することが行なわれており、この処理を効率よく行なえることが望まれている。
【０００５】
従来の濾布の洗浄装置としては、各濾過板を離間させた状態で手動もしくは自動洗浄機によって濾布表面を洗浄する噴射水洗浄、あるいは濾過板の濾過水の排出側より通水する逆流洗浄等の方法がとられているが、いずれも装置が複雑になりコスト高となる上に、洗浄効率も充分に満足できるものではない。
【０００６】
本発明は、上記に鑑みてなしたものであり、この種のフィルタープレスの洗浄を能率よく確実に、しかも濾過板を移動させて間隔を設けることなく洗浄できる洗浄装置を提供するものである。
【０００７】
【課題を解決するために手段】
上記の課題を解決する本発明のフィルタプレスにおける洗浄装置は、多数の濾過板が互いに圧接離間方向に移動可能に並設され、各濾過板に濾布が添設され、各濾過板を圧接したときに隣接する濾過板に添う濾布間に濾室が形成され、各濾過板及び濾布の中央部に各濾室を連通させる開孔が設けられ、前記開孔を介して各濾室に連通する注入口から被処理液を圧入し脱水するように構成されたフィループレスにおいて、前記被処理液の注入口に、被処理液用の給送管とは別に、切替バルブを介して接続される洗浄装置を備えてなり、この洗浄装置は、放射方向に洗浄用水を噴射できる噴射ノズルが先端部に設けられた洗浄用ホースと、該洗浄用ホースをフィルタープレスに送り込むための挿通ガイド部材とを有し、前記挿通ガイド部材が切替バルブを介して注入口に接続され、洗浄の際に、前記洗浄用ホースをその先端側より前記注入口を経てフィルタープレスにおける各濾過板の開孔に順次通して、先端の噴射ノズルにより各濾室内に洗浄用水を噴射することにより、濾布を洗浄するようにしたことを特徴とする。
【０００８】
前記の洗浄装置において、洗浄用ホースは、リールに引き出し可能に巻回されており、該洗浄用ホースをフィルタープレスに送り込むためのモータにより駆動される送り込み手段を備えているものが特に好ましい。
【０００９】
また前記挿通ガイド部材は、洗浄用ホース不作用時に、洗浄用ホース先端のノズル部材を気密に保持するとともに、該ノズル部材のフィルタープレスとは反対側への抜脱を阻止するように構成されたものが好適である。
【００１０】
【発明の実施の形態】
次に本発明の実施の形態を図面に基いて説明する。
【００１１】
図１および図２は、フィルタープレス（Ａ）の概略を示し、基台（１）上の長手方向の両端部に相対向して固定台盤（２）と支持台盤（３）とが設けられ、この両盤間にサイドレール（４）（４）が架設されている。（５）は前記固定台盤（２）と対向する可動押圧盤であって、前記両サイドレール（４）（４）に該レールに沿って移動可能に支持されている。この可動押圧盤（５）には、前記支持台盤（３）に支持された油圧シリンダー等の押圧用シリンダー装置（６）の出力用ロッド（６ａ）が連接されており、該シリンダー装置（６）の作動により、ロッド（６ａ）を介して可動押圧盤（５）が固定台盤（２）に向って押動あるいは逆方向に離間されるように設けられている。
【００１２】
（７）は前記固定台盤（２）と可動押圧盤（５）との間に並設された多数の濾過板であり、これらの濾過板（７）は、両サイドレール（４）（４）により該レールに沿って互いに圧接離間できる方向に移動できるように支持されており、前記シリンダー装置（６）による可動押圧盤（５）の押動により固定台盤（２）の側に押圧されて互いに圧接し、かつ可動押圧盤（５）の退動により離間できるようになっている。またシリンダー装置（６）は、被処理液注入による脱水時の圧力変動にも対応できて、常に良好な圧接状態を保持するようになっている。
【００１３】
各濾過板（７）は、図３に示すように、中央に開孔（８）を有する濾過板本体（７０）の周縁部両側面に、圧接用の縁枠部材（７１）（７２）が固着されるとともに、一方の縁枠部材（７１）の表面にパッキン材（７３）が固着されており、隣接する濾過板（７）（７）の一方の前記パッキン材（７３）が他方の縁枠部材（７２）に対し後述する濾布を挟んで圧接し気密状態を保持するように設けられている。
【００１４】
前記濾過板本体（７０）の両側面には、それぞれ通水性を有するナイロンその他の合成繊維製のネット地等よりなる水切層（７４）（７４）が前記開孔（８）の部分を除いて貼設されている。さらにその外側に濾過板（７）の両側面を覆うように前記開孔（８）に対応する開孔（１１）を有する濾布（１０）が添設されており、開孔（８）の周縁部分において、濾過板本体（７０）に対し当フランジ（７５）（７５）により前記水切層（７４）（７４）とともに固着されている。これにより各濾過板（７）が圧接されたときに、隣接する濾過板（７）（７）に沿う両濾布（１０）（１０）間にそれぞれ濾室（１３）が形成されることになる。これら各濾室（１３）は、前記濾過板本体（７０）の開孔（８）と濾布（１０）の開孔（１１）によって連通する。
【００１５】
そして固定台盤（２）には、前記開孔（８）を介して各濾室（１３）と連通する注入口（２ａ）が設けられ、前記圧接状態においてポンプ等の圧送手段（図示省略）により前記注入口（２ａ）から非処理液を圧入できるように設けられ、この非処理液を圧入することにより、各濾室（１３）で被処理液が圧搾濾過されるようになっている。
【００１６】
また濾布（１０）によって濾過された濾過水は、ネット地等の水切層（７４）を通して流下し、濾過板本体（７０）あるいは縁枠部材（７１）（７２）に形成された排出孔（図示省略）を通じて基台（１）上に落下し、基台（１）上で集められて、あるいは基台（１）から流れでた後で集められて排出するように設けられている。
【００１７】
そして、濾布（１０）により濾過されて濾室（１３）に残った脱水ケーキは、前記シリンダー装置（６）の作動による各濾過板（７）の離間に伴なって排出されるようなっている。
【００１８】
このようなフィルタープレスの構成は、従来のフィルタープレスと基本的に同じであるが、本発明では最後の脱水ケーキを排出した後の濾布（１０）の洗浄のために、次のような構成を採用している。
【００１９】
前記被処理液の注入口（２ａ）に、被処理液用の給送管（１８）とは別に、電動ボールバルブ等よりなる切替バルブ（２０）を介して接続される洗浄装置（Ｂ）を備える。
【００２０】
洗浄装置（Ｂ）は、放射方向に洗浄用水を噴射できるノズル部材（２１）が先端部に設けられた洗浄用ホース（２２）と、該洗浄用ホース（２２）をフィルタープレス（Ａ）に送り込むための挿通ガイド部材（２３）とを有しており、この挿通ガイド部材（２３）が切替バルブ（２０）に対しボルトナット等の締結手段（２４）により締結されることにより、該切替バルブ（２０）を介して注入口（２ａ）と接続されており、洗浄の際に、前記洗浄用ホース（２２）をその先端側より前記注入口（２ａ）を経てフィルタープレス（Ａ）に送り込めるように構成されている。
【００２１】
前記ノズル部材（２１）は、図４および図５に示すように、ホース連結側筒部（２１ｂ）とこれより僅かに径大の先端側筒部（２１ａ）よりなり、先端側筒部（２１ａ）には、軸方向に所要の間隔をおいて複数位置において、それぞれ周方向所要間隔毎、例えば９０°等の等分角度間隔毎に径方向のノズル孔（２５）が設けられている。図の場合、最先端位置には若干の間隔をおいて周方向２列にノズル孔（２５）を設け、該先端部での洗浄用水の噴射割合を多くしている。
【００２２】
前記挿通ガイド部材（２３）は、脱水処理時等の非洗浄時、つまり洗浄用ホース（２２）の不使用時に、前記ノズル部材（２１）を嵌挿状態に保持しておくものであり、前記ノズル部材（２１）のホース連結側筒部（２１ｂ）を挿通できる筒部材（２３ｂ）と、先端側筒部（２１ａ）を挿通できる筒部材（２３ａ）とがボルトナット等の締結手段（２７）に締結されて構成されており、先端側筒部（２１ａ）がテーパ状の係合部（２６）に係合することにより、フィルタープレス（Ａ）とは反対側への抜脱を阻止した状態に保持できるようになっている。
【００２３】
（２８）は筒部材（２３ｂ）の内周において前記ホース連結側筒部（２１ｂ）を軸方向に摺動可能に保持するメタル等の軸受部材、（２９）はオーリング等のパッキング材でノズル部材（２１）との間を気密に保持するように構成されている。このため、脱水処理時には、切替バルブ（２０）と前記パッキング材（２９）とにより、挿通ガイド部材（２３）の側が二重に閉止されることになり、被処理液が漏出すことがない。
【００２４】
前記の洗浄用ホース（２２）は、そのホース本体（２２ａ）がリール部（３０）に引き出し可能に巻回されるとともに、該洗浄用ホース（２２）をフィルタープレス（Ａ）に送り込むための送り込み手段（３１）を備えている。送り込み手段（３１）は、例えば図のように、ホース本体（２２ａ）を上下から挟持して回転できる１もしくは複数対の送りローラ（３２）（３３）よりなり、そのうち一方の送りローラ（３２）がモータ等の駆動手段（３４）と連結されて回転駆動されるように設けられており、この送りローラの回転により、洗浄用ホース（２２）をフィルタープレス（Ａ）の側へ送り込むことができ、かつ逆回転により元の状態に戻せるようにっている。
【００２５】
なお、この洗浄用ホース（２２）にはポンプ等の圧送手段（図示省略）の作動により洗浄用水を適宜圧送できるように設けられる。
【００２６】
上記の洗浄装置の作用について説明すると、フィルタープレス（Ａ）による１日の濾過、脱水処理が終れば、被処理液の圧入を停止して、シリンダー装置（６）で各濾過板（７）を離間させて各濾室（１３）に溜っているスラッジの脱水ケーキを落下、排出させた後、再度シリンダー装置（６）の作動により、押圧可動板（５）を押動して各濾過板（７）を圧接させる。
【００２７】
こうして、被処理液の注入口（２ａ）に接続されている切替バルブ（２０）を開き、さらにポンプ等の圧送手段を作動させて洗浄用水を洗浄用ホース（２２）に圧送する。この状態で、送り込み手段（３１）を作動させて、前記洗浄用ホース（２２）を、その先端のノスル部材（２１）の側から切替バルブ（２０）および注入口（２ａ）を経てフィルタープレス（Ａ）内に送り込み、その軸心部に存する各濾過板（７）の開孔（８）を順次徐々に通過させながら、先端のノズル部材（２１）のノズル孔（２５）から各濾室内（１３）に向って放射方向に洗浄用水を噴射することにより、各濾室（１３）における濾布（１０）を洗浄する。
【００２８】
特に、ノズル部材（２１）が、図のように軸方向に所要の間隔をおいて複数位置に放射方向に噴射できるノズル孔（２５）を有していると、同時に複数の濾室（１３）内に洗浄用水を同時に噴射できるとともに、その移動によって繰返し洗浄用水が噴射されるので、濾布（１０）を効率よく確実に洗浄できる。またノズル部材（２１）が最奥部にまで挿し込んだ後の引出し時にも、前記同様に洗浄用水を噴射することで、濾布（１０）の洗浄効率をさらに高めることができる。
【００２９】
特に、洗浄用水の圧入を高圧で行なうことにより、前記ノズル孔（１７）からの噴出力を強くすることができる。
【００３０】
また上記の実施例では、脱水処理時等の非洗浄時に、洗浄用ホース（２２）先端のノズル部材（２１）を挿通ガイド部材（２３）に挿通状態に保持させておく場合を示したが、この他、洗浄用ホース（２２）先端のノズル部材（２１）を、通常時は挿通ガイド部材（２３）から抜脱させておいて、洗浄の際に前記挿通ガイド部材（２３）に対し挿し込むようにしてもよい。
【００３１】
なお、前記の洗浄の際、噴射される洗浄用水量が多くなると、濾過板の排水孔からの排出できない余剰の洗浄用水が挿通ガイド部材（２３）の側に逆流して、挿通ガイド部材（２３）とホース本体（２２ａ）の間が噴出することになるので、挿通ガイド部材（２３）としては前記余剰水の排出機能を有するものが好ましい。
【００３２】
図６は、前記余剰水の排出機能を有する挿通ガイド部材（２３）の実施例を示している。この実施例の場合、切替バルブ（２０）との接続側をレジューサー（３５）として形成し、該レジューサー（３５）の下部に排水孔（３６）を設けている。レジューサー（３５）とホース連結側筒部（２３ｂ）との間に、円環状のゴム板等よりなる弾性遮蔽板（３７）を設け、洗浄用ホース（２２）をフィルタープレス（Ａ）に送り込んだ時に、該弾性遮蔽板（３７）がホース本体（２２ａ）の外周に摺接して洗浄用水の漏出を防止できるようになっている。
【００３３】
前記の洗浄作業は、各濾過板（７）を圧接した状態で行なうほか、僅かに離間させて行なうこともできるが、離間させた場合には放射方向に噴射される洗浄用水が拡散防止する遮蔽手段が必要となる。
【００３４】
【発明の効果】
上記したように本発明によれば、通常の被処理液の圧入の通路を利用して洗浄用水を圧入して濾室内に噴出させることにより、複雑な機構を要さずに容易にしてかつ確実に濾布を洗浄できる。
【図面の簡単な説明】
【図１】フィルタープレスの概略正面図である。
【図２】同上の平面図である。
【図３】濾過板部分の拡大断面図である。
【図４】本発明の洗浄装置の概略を示す断面図である。
【図５】同上の要部の断面図である。
【図６】他の実施例を示す一部の断面図である。
【符号の説明】
（Ａ）    フィルタープレス
（Ｂ）    洗浄装置
（１）    基台
（２）    固定台盤
（２ａ）  被処理液の注入口
（３）    支持台盤
（４）（４）  サイドレール
（５）    可動押圧盤
（６）    シリンダー装置
（７）    濾過板
（７０）  濾過板本体
（８）    開孔
（１０）  濾布
（１１）  開孔
（１３）  濾室
（１８）  被処理液の給送管
（２０）  切替バルブ
（２１）  ノズル部材
（２２）  洗浄用ホース
（２３）  挿通ガイド部材
（２５）  ノズル孔
（３１）  送り込み手段
（３５）  レジューサー
（３７）  弾性遮蔽板
【図１】
0003774986.tif 000002
【図２】
0003774986.tif 000003
【図３】
0003774986.tif 000004
【図４】
0003774986.tif 000005
【図５】
0003774986.tif 000006
【図６】
0003774986.tif 000007